【手続補正書】
【提出日】平成15年8月7日(2003.8.7)
【手続補正１】
【補正対象書類名】明細書
【補正対象項目名】全文
【補正方法】変更
【補正の内容】
【発明の名称】オフセット印刷機
【特許請求の範囲】
【請求項１】水着けローラ（５）をインキ着けローラ（６）と連結し、かつ前記水着けローラ（５）から離れることができる中間ローラ（４）を備え、揺動レバー（８）が前記水着けローラ（５）の軸受部（１７）に支持されているオフセット印刷機において、
前記中間ローラ（４）が支持された軸受レバー（１０）が前記揺動レバー（８）に揺動可能に取り付けられているか、
あるいは、前記中間ローラ（４）の軸受（１２）がスライドするように案内される案内装置（２０）が、前記中間ローラ（４）の、前記インキ着けローラ（６）への押し当たり圧力が前記中間ローラ（４）の、前記水着けローラ（５）への押し当たり圧力よりも大きくなるように、前記インキ着けローラ（６）に対して角度αをなして前記揺動レバー（８）に配置されていることによって、
前記中間ローラ（４）は、前記水着けローラ（５）から離される際、前記インキ着けローラ（６）と相互に転動する接触を保たれることを特徴とするオフセット印刷機。
【請求項２】位置替え手段（９）が前記揺動レバー（８）に付属している、請求項１に記載のオフセット印刷機。
【請求項３】前記インキ着けローラ（６）の軸受部（１５）の両側に揺動可能に支持された結合片（１４）が前記中間ローラ（４）の前記軸受レバー（１０）に係合している、請求項１に記載のオフセット印刷機。
【請求項４】前記中間ローラ（４）と前記インキ着けローラ（６）の間の距離を調整するために、前記中間ローラ（４）の前記軸受レバー（１０）に係合する調整手段（１６）が前記結合片（１４）に備えられている、請求項３に記載のオフセット印刷機。
【請求項５】前記中間ローラ（４）を前記インキ着けローラ（６）に押し当てる圧縮ばね（１８）が前記軸受レバー（８）に付属しており、前記圧縮ばね（１８）は、前記揺動レバー（８）に固定された支持体（１９）によって保持されている、請求項１に記載のオフセット印刷機。
【発明の詳細な説明】
【０００１】
【発明の属する技術分野】
本発明は、版胴に接するインキ装置と湿し装置と、摩擦によって駆動されているインキ着けローラと水着けローラを結合させる少なくとも一つの中間ローラとを有していて、該中間ローラは、両側において、支持されていて、なお、位置替え手段によって前記インキ着けローラ及び／または水着けローラに対して位置替えされ得る、というオフセット印刷機に関する。
【０００２】
【従来の技術】
この種類の公知の一つの実施の形態をDE 40 13 741 A1が示していて、そこでは、中間ローラが、二つの位置替え手段によって、インキ着けローラや水着けローラに対して位置替えされ得る。この解決方式によるならば、多面にわたっての経済的運転管理と準備時間の短縮が達成され得るはずである。
【０００３】
【発明が解決しようとする課題】
本発明の目的は、インキ装置と湿し装置の間を引き離しての運転モードの場合に、困難な印刷ジョブでも遂行できるように、第１のインキ着けローラ上でのパターン発生を少なくすることにある。
【０００４】
【課題を解決するための手段】
本発明によれば、この目的は、中間ローラが、両側において、位置替えの際には第１のインキ着けローラと相互に転動する接触を保ち、引き離しの位置では水着けローラから離れているように、揺動レバー上で支持されている、ということによって達成される。この解決方式においては、湿し装置がインキ装置から切り離されるように中間ローラが水着けローラから離されたときに、中間ローラは、第１のインキ着けローラと相互に転動する接触を保ち、そこで、印刷版から戻って来るインキのフィルムをインキ着けローラ上で均一化し、それによりパターン発生を大いに防止し得る。この位置設定においては、湿し装置は、インキ装置とは無関係に印刷版を湿らせる。この場合、例えば、水着けローラが版胴とは異なる速度で駆動されていてもよい。
【０００５】
本発明の一つの有利な実施態様は、第１のインキ着けローラの両側の軸受部に揺動レバーが配置されていて、それら揺動レバーにおいて中間ローラが支持されており、なお、それら揺動レバーに位置替え手段が付属している、ということを特徴としている。この実施の形態においては、そのことにより、中間ローラは、第１のインキ着けローラの回りを揺動するので、水着けローラから離れた位置にあっても、常にインキ着けローラとの接触を保っている。
【０００６】
本発明のさらにある一つの有利な実施態様においては、水着けローラの両側の軸受部において揺動レバーが支持されていて、それら揺動レバーに位置替え手段が付属しており、それら揺動レバー上に軸受レバーが揺動可能に固定されていて、それら軸受レバー上で中間ローラが軸受を介して支持されており、なお、中間ローラの軸受に結合片が係合していて、それら結合片は、第１のインキ着けローラの両側の軸受部において揺動可能に支持されている、ということを特徴としている。この、変更された中間ローラの軸受部の場合には、結合片が、中間ローラの第１のインキ着けローラへの永久的な押し当たりを保証するので、中間ローラの引き離し位置においても、中間ローラと第１のインキ着けローラとの接触が保たれる。
【０００７】
さらに、結合片に調整ねじが設けられていて、その調整ねじは、中間ローラと第１のインキ着けローラの間の距離を調整するために、中間ローラの軸受に係合している、というのが有利である。
【０００８】
さらに中間ローラの軸受部のある一つの変形は、水着けローラの両側の軸受部において揺動レバーが支持されていて、それら揺動レバーに位置替え手段が付属しており、揺動レバーに軸受レバーが揺動可能に固定されていて、それら軸受レバーにおいて中間ローラが支持されており、それら軸受レバーには、中間ローラを第１のインキ着けローラに押し当てるような圧縮ばねが付属していて、それら圧縮ばねは、揺動レバーに固定された支持体によって保持されている、ということを特徴としている。それら圧縮ばねによって、中間ローラの第１のインキ着けローラへの遊びのない押し当たりが保証され、圧縮ばねの押圧力が、その押し当たりの力を決める。中間ローラが水着けローラから離されているという中間ローラの切り離しの位置においても、中間ローラの第１のインキ着けローラへの押し当たりは影響を受けない。
【０００９】
本発明のさらにある一つの実施態様の変形においては、水着けローラの両側の軸受部において揺動レバーが支持されていて、それら揺動レバーに位置替え手段が付属しており、それら揺動レバー上には案内装置が設けられていて、それら案内装置の中で中間ローラの軸受が滑り案内されており、それら案内装置は、中間ローラの第１のインキ着けローラへの押し当たり圧力が中間ローラの水着けローラへの押し当たり圧力よりも大きくなるように、第１のインキ着けローラに対して角度αをなすように配置されている、ということを特徴としている。この解決方式の場合には、押し当たりの位置においても、中間ローラは、水着けローラがどんな速度で駆動されているかには関係なしに、比較的に高い押し当たり圧力の故に第１のインキ着けローラによって駆動される。
【００１０】
【発明の実施の形態】
本発明の実施の形態が図面に示されている。
【００１１】
図１において、版胴１には、インキ装置２と湿し装置３が接している。中間ローラ４が、水着けローラ５を第１のインキ着けローラ６と結合させている。図示された実施例においては、水着けローラ５には、駆動機を装備した横振りローラ７が接していて、その横振りローラ７が、水着けローラ５を駆動し、水着けローラ５のパターン発生を防止している。中間ローラ４は、両側において、揺動レバー上で支持されていて、それら揺動レバーは、更に、中間ローラ４が引き離しの場合に第１のインキ着けローラの回りで揺動してそれと相互に転動する接触を保つように、第１のインキ着けローラ６の軸受部に配置されている。その引き離しの場合には、中間ローラ４は、水着けローラ５から離れている。
【００１２】
図２に示した実施の形態の場合には、中間ローラ４は、両側において、揺動レバー８を介して水着けローラ５の軸受部で支持されている。揺動レバー８には、更に、位置替え手段９が付属していて、それら位置替え手段によって中間ローラ４は、水着けローラ５から引き離され得る。それら揺動レバー８上には、軸受レバー１０が、ピン１１のところで揺動可能なように固定されていて、それら軸受レバーにおいて中間ローラ４が、軸受１２を介して支持されている。軸受１２は、調整ねじ１３によって、軸受レバー１０の中で位置調整され得る。中間ローラ４の軸受１２に結合片１４が係合していて、それら結合片は、第１のインキ着けローラ６の両側の軸受部１５において揺動可能なように支持されている。調整ねじ１６によって、第１のインキ着けローラ６と中間ローラ４の間の距離が調整され得る。したがって、結合片１４は、位置替え手段９によって中間ローラ４が水着けローラ５から引き離されているか否かには関係なしに中間ローラ４が一定の押圧力をもって第１のインキ着けローラ６に押し当たるように作用する。この場合、第１のインキ着けローラの軸受部１５と、水着けローラ５の軸受部１７は、それら両方のローラが版胴の被覆面から引き離され得るような構造になっている、ということに配慮しなければならない。
【００１３】
図４の実施の形態は、図２の実施の形態と比べると、結合片１４がなくなって、その代わりに圧縮ばね１８が設けられており、それら圧縮ばねが、軸受レバー１０したがって中間レバー４を第１のインキ着けローラ６に押し当てる、ということにおいて異なっている。この場合、圧縮ばね１８は、揺動レバー８に固定された支持体１９において支持されている。この図においては、中間ローラが第１のインキ着けローラ６にも水着けローラ５にも接触しているという押し当たりの位置にある中間ローラ４が１点鎖線で示されている。実線で示された中間ローラ４の位置は水着けローラ５からの離れを示しており、その場合には、圧縮ばね１８が、第１のインキ着けローラ６の被覆面への一定した押し当たりのための働きをする。
【００１４】
図５は、実施の形態の一つの変形を示していて、そこでは、揺動レバー８′において案内装置２０が設けられていて、それら案内装置の中で、中間ローラ４の軸受１２が滑り案内されている。案内装置２０は、中間ローラ４の第１のインキ着けローラ６への押し当たり圧力が中間ローラ４の水着けローラ５への押し当たり圧力よりも大きくなるように、第１のインキ着けローラ６に対して角度αをなすように配置されている。角度αが、例えば90°であるならば、位置替え手段９に付属した圧縮ばね２１が、それの最大の力でもって、中間ローラ４を第１のインキ着けローラ６に押し当てる。中間ローラ４の自重だけが、なおも、僅かの押し当たり力を水着けローラ５に及ぼす。この構造方式の場合、中間ローラ４は、第１のインキ着けローラ６によって駆動され、場合によっては水着けローラ５において与えられている速度差は、中間ローラ４に影響を及ぼし得ずに、それら両方のローラ間の滑りを起こさせる。この構造方式の場合にも、中間ローラ４は、第１のインキ着けローラ６のパターン発生を大いに防止し得る。
【００１５】
【発明の効果】
以上説明したように本発明は、湿し装置がインキ装置から切り離されるように中間ローラが水着けローラから離されたときに、中間ローラは、第１のインキ着けローラと相互に転動する接触を保ち、そこで、印刷版から戻って来るインキのフィルムをインキ着けローラ上で均一化し、それによりパターン発生を大いに防止し得るという効果がある。
【図面の簡単な説明】
【図１】インキ装置と湿し装置の側面図である。
【図２】中間ローラの軸受部を示す図である。
【図３】中間ローラの軸受部の、部分的な長さ方向断面図である。
【図４】中間ローラの、一つの変形の軸受部の図である。
【図５】中間ローラの、一つの変形の軸受部の図である。
【符号の説明】
１    版胴
２    インキ装置
３    湿し装置
４    中間ローラ
５    水着けローラ
６    第１のインキ着けローラ
７    横振りローラ
８、８′    揺動レバー
９    位置替え手段
１０    軸受レバー
１１    ピン
１２    軸受
１３、１６    調整ねじ
１４    結合片
１５、１７    軸受部
１８、２１    圧縮ばね
１９    支持体
２０    案内装置


【手続補正２】
【補正対象書類名】図面
【補正対象項目名】図２
【補正方法】変更
【補正の内容】
【図２】
1997136397.tif 000001
【手続補正３】
【補正対象書類名】図面
【補正対象項目名】図３
【補正方法】変更
【補正の内容】
【図３】
1997136397.tif 000002
【手続補正４】
【補正対象書類名】図面
【補正対象項目名】図４
【補正方法】変更
【補正の内容】
【図４】
1997136397.tif 000003
【手続補正５】
【補正対象書類名】図面
【補正対象項目名】図５
【補正方法】変更
【補正の内容】
【図５】
1997136397.tif 000004